(57)【要約】【課題】格別な警報手段を用いること無く、警報が発せられていることを容易に認識することができるショーケースを提供する。【解決手段】ショーケース１は、照明灯３６、３７、３９を備えたものであって、照明灯３６、３７、３９を制御する制御装置を備え、この制御装置は、警報を発する必要がある場合、照明灯３６、３７、３９の照度を変化させる。制御装置は、警報の内容に応じて照度を変化させる照明灯を変更する。又は、制御装置は、警報の内容に応じて照度を変化させるパターンを変更する。【選択図】図２
2007260215.tif 000002
【特許請求の範囲】
【請求項１】
照明装置を備えたショーケースにおいて、
前記照明装置を制御する制御装置を備え、該制御装置は、警報を発する必要がある場合、前記照明装置の照度を変化させることを特徴とするショーケース。
【請求項２】
前記照明装置は複数設けられ、前記制御装置は、前記警報の内容に応じて照度を変化させる前記照明装置を変更することを特徴とする請求項１に記載のショーケース。
【請求項３】
前記制御装置は、前記警報の内容に応じて照度を変化させるパターンを変更することを特徴とする請求項１又は請求項２に記載のショーケース。
【請求項４】
前記制御装置は、前記照明装置の照度を所定のパターンで変化させる演出機能を備えると共に、前記警報を発する場合、当該演出機能のパターンとは異なるパターンで前記照明装置の照度を変化させることを特徴とする請求項１乃至請求項３の何れかに記載のショーケース。
【発明の詳細な説明】
【技術分野】
【０００１】
本発明は、照明装置を備えたショーケースに関するものである。
【背景技術】
【０００２】
従来よりスーパーマーケットやコンビニエンスストアなどに設置されるショーケースは、本体内に形成される陳列室内に当該陳列室内やショーケース前方等を照明するための蛍光灯から成る照明灯が複数本取り付けられている。照明灯は、陳列室の天井面前部に位置するキャノピー下面や、棚が複数段架設されている場合には、当該棚下面前部に位置して取り付けられている（特許文献１参照）。
【０００３】
また、近年では電子安定器を用いて照明灯の照度を細かく制御できるようになってきており、照度を変化させて演出効果を発揮させるショーケースも開発されてきている。
【特許文献１】特開平７−１４３９２８号公報
【発明の開示】
【発明が解決しようとする課題】
【０００４】
ここで、この種ショーケースでは冷却装置が故障した場合や、それによって庫内温度が異常上昇した場合などには警報を発する機能が備えられており、従来ではこのような警報は、ブザーやランプによって出力されていた。しかしながら、ブザーでは顧客に不快感を与えてしまう危険性があるために音量を上げることができないと共に、実際には機能が切られている場合が多い。また、ランプでは従業員が気付かないことがあった。
【０００５】
また、事務室などに警報を出力することも考えられるが、店舗内の警報システムが整備されていない場合には採用できず、また、事務室でも従業員にはわかり難い場合が多かった。
【０００６】
本発明は、係る従来の技術的課題を解決するために成されたものであり、格別な警報手段を用いること無く、警報が発せられていることを容易に認識することができるショーケースを提供することを目的とするものである。
【課題を解決するための手段】
【０００７】
本発明のショーケースは、照明装置を備えたものであって、照明装置を制御する制御装置を備え、この制御装置は、警報を発する必要がある場合、照明装置の照度を変化させることを特徴とする。
【０００８】
請求項２の発明のショーケースは、上記において照明装置は複数設けられ、制御装置は、警報の内容に応じて照度を変化させる照明装置を変更することを特徴とする。
【０００９】
請求項３の発明のショーケースは、上記各発明において制御装置は、警報の内容に応じて照度を変化させるパターンを変更することを特徴とする。
【００１０】
請求項４の発明のショーケースは、上記各発明において制御装置は、照明装置の照度を所定のパターンで変化させる演出機能を備えると共に、警報を発する場合、当該演出機能のパターンとは異なるパターンで照明装置の照度を変化させることを特徴とする。
【発明の効果】
【００１１】
本発明によれば、照明装置を備えたショーケースにおいて、照明装置を制御する制御装置を備え、この制御装置は、警報を発する必要がある場合、照明装置の照度を変化させるようにしたので、ブザーやランプ等の格別な警報手段を設けることなく、照明装置の照度変化で異常の発生を報知することができるようになる。これにより、部品点数の削減によるコストの低減を図ることが可能となる。
【００１２】
特に、照明装置の照度を変化させるので、従業員等には分かりやすく確実な警報機能を発揮させて迅速なメンテナンスを実現することが可能となるものである。
【００１３】
この場合、請求項２の発明の如く照明装置が複数設けられられていれば、警報の内容に応じて照度を変化させる照明装置を変更することで、どの照明装置の照度を変化させるかで警報内容を識別させることができるようになる。これにより、メンテナンス作業の更なる迅速化と円滑化を図ることができるようになる。
【００１４】
また、請求項３の発明の如く警報の内容に応じて照度を変化させるパターンを変更することによっても、警報内容を識別させることができる。この場合にはより明確に警報とその内容を印象付けることができる。
【００１５】
更に、請求項４の発明の如く制御装置が照明装置の照度を所定のパターンで変化させる演出機能を備えている場合、警報を発するときには当該演出機能のパターンとは異なるパターンで照明装置の照度を変化させるようにすれば、従業員には演出機能と警報とを明確に区別させながら、顧客には演出機能の一部のような認識を持たせることも可能となるものである。
【発明を実施するための最良の形態】
【００１６】
次に、図面を参照して本発明の実施形態について詳述する。図１は本発明を適用したショーケース１の斜視図、図２は図１のショーケース１の縦断側面図をそれぞれ示している。ショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１７】
ショーケース１の断熱壁２の内側には所定間隔を存して内壁４が取り付けられると共に、当該内壁４と断熱壁２との間にはそれぞれ間隔を存して区画壁４０が取り付けられ、内壁４と区画壁４０間には、内層ダクト４１が形成されると共に、区画壁４０と断熱壁２間には外層ダクト４２が形成されている。内壁４を構成する背部内壁１０の下端前方には、底板９が断熱壁２の底壁２Ａとの間にダクト用の間隔を存して取り付けられており、これら内壁４及び底板９の内側を陳列室１１としている。
【００１８】
また、この陳列室１１内には、高さ及び取付角度が変更可能であると共に、陳列室１１内背部の図示しない支柱に取り付けられる一対のブラケット３１及びこれらと共に棚装置を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。また、各棚板３２の下面前部には、下方の棚板３２上に陳列される商品を照明するための照明灯（照明装置）３６が配設されている。尚、当該照明灯３６は、詳細は後述する如き制御装置２０にてＯＮ−ＯＦＦ制御及び印加電力が制御される。
【００１９】
断熱壁２の前面開口１２の上縁にはハニカム材１３、１４がそれぞれ取り付けられた内層吹出口１６及び外層吹出口１７が並設されており、これら内層吹出口１６及び外層吹出口１７は、内層ダクト４１及び外層ダクト４２にそれぞれ連通している。尚、内層吹出口１６及び外層吹出口１７は、区画壁４０の前端において、仕切部材４５によって区画形成される。他方、開口１２の下縁には、内層吸込口１８と外層吸込口１９が並設されている。尚、内層吹出口１６の陳列室１１側の天面内壁８には、陳列室１１内を上方から照明するための照明灯（照明装置）３９が設けられている。尚、当該照明灯３９についても、上記照明灯３６と同様に制御装置２０にてＯＮ−ＯＦＦ制御及び印加電力が制御される。
【００２０】
また、断熱壁２の天壁２Ｂ前端にはキャノピー３３が取り付けられており、このキャノピー３３の内方には、キャノピー３３の後方に位置して照明灯（照明装置）３７を取り付けるための照明灯反射板５０が取り付けられる。尚、当該照明灯３７についても、上記照明灯３６と同様に制御装置２０にてＯＮ／ＯＦＦ制御及び印加電力が制御される。この照明灯３７により、ショーケース１の前方と陳列室１１内の前部が上方から照明される。
【００２１】
尚、実施例では各照明灯３６、３７、３９は蛍光灯を用いているが、ＬＥＤを用いても有効である。
【００２２】
また、断熱壁２の天壁２Ｂの前端には、下方に延出して前記外層吹出口１７の前側に位置して外層ダクト４２の前端を閉塞する吹出口外壁５２が取り付けられる。尚、この吹出口外壁５２は、下端が後側に折り返された図示しない係合部が形成されており、当該係合部によって、前記外層吹出口１７に取り付けられるハニカム材１４の前端が支持される。そして、この吹出口外壁５２の上面には、断熱壁２の天壁２Ｂの前端に位置して巻き取り式のナイトカバー５１が収容される。
【００２３】
一方、底板９下方後部には断熱壁２の底壁２Ａ上に内層ダクト４１及び外層ダクト４２のそれぞれに対応する送風機２７、２８（図３のみ図示する）が複数台設置されている。そして、背部内壁１０後方の内層ダクト４１内には冷却装置の図示しない冷却器が縦設されている。この冷却器と共に冷凍サイクルを構成する圧縮機２６（図３のみ図示する）、凝縮器、凝縮器用送風機４３（図３のみ図示する）等は、ショーケース１とは別置きに例えば、店舗内の機械室などに設けられており、当該ショーケース１と圧縮機２６等とは、図示しない冷媒配管にて配管接続されているものとする。そして、圧縮機２６や送風機２７、２８、更には、冷媒回路内における冷媒流量を制御する電磁弁２９は、前記制御装置２０に接続され、詳細は後述する如く冷却運転の制御が行われるものとする。
【００２４】
次に、図３を参照して上記制御装置２０について詳述する。図３はショーケース１の前記制御装置２０のブロック図を示している。この制御装置２０は汎用のマイクロコンピュータにより構成されており、時限手段としてのタイマ２１を備えている。そして、この制御装置２０の入力には、冷却制御用の温度センサ２２と、電源スイッチ２３と、照明スイッチ２４が接続されている。また、制御装置２０の出力には、前記圧縮機２６、送風機２７、２８、４３、電磁弁２９、照明装置３６、３７、３９が接続されている。尚、温度センサ２２は例えば陳列室１１内天井部に取り付けられているものとし、照明装置３６、３７、３９はそれぞれ電子安定器４６、４７、４８を介して接続されているものとする。
【００２５】
以上の構成で本発明の実施例のショーケース１の動作を説明する。先ず、電源スイッチ２３が投入されると、制御装置２０は、圧縮機２６、送風機２７及び２８を起動する。圧縮機２６が起動されると、内層ダクト４１に縦設される冷却器が冷却作用を発揮する。この冷却器と熱交換した冷気は、送風機２７の運転により、内層ダクト４１内を上昇せられ、内層吹出口１６より内層吸込口１８に向かって吹き出される。そして、内層吸込口１８から吸い込まれた冷気は再び前記送風機２７によって加速される。これにより、前面開口１２には、冷気エアーカーテンが形成される。
【００２６】
他方、外層ダクト４２に対応した送風機２８が運転されると外層ダクト４２内の保護気流は外層ダクト４２内を上昇せられ、外層吹出口１７より外層吸込口１９に向かって吹き出される。そして、外層吸込口１９から吸い込まれた空気は再び前記送風機２８によって加速される。これによって、前面開口１２には、冷気エアーカーテンの外側に保護エアーカーテンが形成され、開口１２には前後二重のエアーカーテンが形成されることとなる。そして、内側の冷気エアーカーテンの一部が陳列室１１内に循環されて陳列室１１は冷却される。
【００２７】
制御装置２０は、送風機２７、２８を連続運転し、圧縮機２６と凝縮器用送風機４３については温度センサ２２の出力に基づき、例えば＋５℃で起動し、＋３℃で停止するＯＮ−ＯＦＦ制御を実行する。これによって、陳列室１１内が平均＋４℃の冷蔵温度に冷却されることになる。尚、本実施例では、圧縮機２６と凝縮器用送風機４３のＯＮ−ＯＦＦ制御のみによって陳列室１１内の温度制御を行っているが、これに限定されるものではなく、これに加えて、電磁弁２９による開度制御を行うことによって温度制御を行っても良いものとする。
【００２８】
（１）演出機能
また、照明スイッチ２４がＯＮされると、制御装置２０は電子安定器４６、４７、４８により、各照明灯３６・・・、３７、３９を通常は１００％の電力を印加して点灯（照度１００％）させる（図４）。この場合、制御装置２０は電子安定器４６、４８によって各照明灯３６・・・、３７、３９に印加する電力を調整し、その照度を変化（調光）させて演出効果を発揮させる機能を備えている。
【００２９】
この演出機能は制御装置２０の所定のモード切換操作にて実行される。この場合、制御装置２０は図５に示す如く、電子安定器４６、４８により例えば陳列室１１内を照明する照明灯３９、３６・・・の照度を徐々に低下させた後、１００％の照度に徐々に戻す変化を上の照明灯から下の照明灯に向かって順次行って行くパターンを実行する。これは開口１２に形成されるエアーカーテンの流れと一致しており、顧客には係る照度変化によって流下するエアーカーテンを象徴的に認識させる効果もある。
【００３０】
（２）警報機能１
ここでショーケース１では例えば陳列室１１の高温異常や低温異常などの種々の異常が発生することが考えられ、制御装置２０は例えば高温異常と低温異常に関しては温度センサ２２を用いて判別する。そして、低温異常が発生した場合、制御装置２０は上記通常点灯状態から、或いは、演出機能が実行されているときはそれを停止した後、電子安定器４６により、図６に示す如く最下段の棚板３２の照明灯３６の照度を徐々に低下させた後、１００％の照度に徐々に戻す変化を実行して低温警報を発する。
【００３１】
従業員は係る点灯状態が低温警報を示していることを予め知らされており、これにより、当該ショーケース１で低温異常が発生していることを把握できる。特に、照明灯３６の照度変化であるために従業員は明確に警報を確認できる。一方、高温異常が発生した場合、制御装置２０は同様に通常点灯状態から、或いは、上記演出機能を停止した後、電子安定器４８により、例えば図７に示す如く天面内壁の照明灯３９の照度を徐々に低下させた後、１００％の照度に徐々に戻す変化を実行して高温警報を発する。従業員は係る点灯状態が高温警報を示していることを予め知られており、これにより、従業員は当該ショーケース１で異常が発生していることを把握できる。特に、低温警報の場合とは異なり照明灯３９の照度が変化するため、異常が高温異常であることも明確に判別することができる。
【００３２】
このように、照明灯３６や３９の照度を変化させることによって警報を発するので、ブザーやランプなどの格別な警報手段を設ける必要が無くなり、部品点数の削減とコストの低減を図ることができるようになる。また、異なる照明灯の照度を変化させることで、警報の内容も明確に区別することが可能となる。
【００３３】
（３）警報機能２
次に、もう一つの警報機能について説明する。この場合制御装置２０は、低温異常が発生したとき、電子安定器４６、４８によって例えば図８に示す如く陳列室１１内を照明する照明灯３６・・・、３９の照度を徐々に低下させた後、１００％の照度に徐々に戻す変化を下の照明灯から上の照明灯に向かって順次行って行くパターンを実行することで低温警報を発する。このパターンが低温警報を示していることも従業員には予め知らされている。
【００３４】
これは上述した演出機能の照度変化パターンとは逆の変化であるため、従業員は通常行っている演出機能では無く、当該ショーケース１で低温異常が発生しており、警報が発せられていることを把握することができる。この照明灯３６・・・、３９の照度変化は明確に把握できるため、従業員は迅速に低温異常に対処することができる。
【００３５】
また、高温異常が発生した場合には、制御装置２０は電子安定器４６、４７、４８により、例えば図９に示す如く陳列室１１内を照明する照明灯３６・・・、３９に加えてキャノピー３３の照明灯３７の照度を徐々に低下させた後、１００％の照度に徐々に戻す変化を下の照明灯から上の照明灯に向かって順次行って行くパターンを実行することで高温警報を発する。このパターンが高温警報を示していることも従業員には予め知らされている。
【００３６】
これも上述した演出機能の照度変化パターンとは逆の変化であるため、同様に従業員は通常行っている演出機能では無く、当該ショーケース１で異常が発生しており、警報が発せられていることを把握することができる。更に、この場合にはキャノピー３３の照明灯３７も照度変化させるので、従業員は発せられている警報が低温警報では無く、高温警報であることも明確に判別することが可能となる。これにより、従業員は高温異常に対する対応を迅速に取ることができる。
【００３７】
特に、このように照度変化のパターンを変更することで警報内容を識別させれば、より明確に警報とその内容を印象付けることができる。更に、警報を発するときには演出機能のパターンとは異なるパターンで照明灯の照度を変化させるので、従業員には演出機能と警報とを明確に区別させながら、顧客には演出機能の一部のような認識を持たせることも可能となる。
【００３８】
尚、上記実施例では高温警報と低温警報を例にとって説明したが、それに限らず、例えば、凝縮器の目詰まりやその他種々の警報について照度変化で報知可能である。また、実施例に示したパターンはそれに限られるものでは無く、種々変更可能である。
【図面の簡単な説明】
【００３９】
【図１】本発明を適用したショーケースの斜視図である。
【図２】図１のショーケースの縦断側面図である。
【図３】ショーケースの制御装置のブロック図である。
【図４】図１のショーケースの各照明灯の通常点灯状態を示す図である。
【図５】図１のショーケースの照明灯による演出機能を示す図である。
【図６】図１のショーケースの照明灯による低温警報を示す図である。
【図７】図１のショーケースの照明灯による高温警報を示す図である。
【図８】図１のショーケースの照明灯によるもう一つの低温警報を示す図である。
【図９】図１のショーケースの照明灯によるもう一つの高温警報を示す図である。
【符号の説明】
【００４０】
１    ショーケース
２    断熱壁
１１  陳列室
１２  開口
２０  制御装置
２２  温度センサ
２３  電源スイッチ
２４  照明スイッチ
２６  圧縮機
２７、２８  送風機
２９  電磁弁
３６、３７、３９  照明灯
４６、４７、４８  電子安定器
【図１】
2007260215.tif 000003
【図２】
2007260215.tif 000004
【図３】
2007260215.tif 000005
【図４】
2007260215.tif 000006
【図５】
2007260215.tif 000007
【図６】
2007260215.tif 000008
【図７】
2007260215.tif 000009
【図８】
2007260215.tif 000010
【図９】
2007260215.tif 000011